(57)【要約】【課題】広い設置スペースを必要とせず、使い勝手にも優れたミストサウナユニットを提供する。【解決手段】ミストサウナユニット１０は、周囲から区画された略直方体形状のサウナ室ＳＲと、サウナ室ＳＲを形成する４つの壁体１２，１３，１４などのうちの正面側の壁体に開設された開閉扉付きの出入り口と、壁体１２，１３などの内面に外周縁の一部を当接させた状態で配置された腰掛け部１７と、右側の壁体１４の内面に設けられた複数のミストノズル１８及びシャワーノズル１９と、を備えている。壁体１４の内面には湯水混合栓２７が配置され、二つの壁体１３，１４に挟まれた角部分には複数のコーナ棚２９が上下に配置され、壁体１３の内面には鏡３０が設けられている。別途設けたミスト発生装置から供給されるミストが複数のミストノズル１８からサウナ室ＳＲ内へ吹き出される。【選択図】図４
2009172058.tif 000002
【特許請求の範囲】
【請求項１】
略直方体形状のサウナ室と、前記サウナ室を形成する壁体のいずれかに設けられた開閉扉付きの出入り口と、少なくとも一つの前記壁体の内面に外周縁の一部を当接させた状態で配置された腰掛け部と、前記壁体のいずれかに設けられたミストノズル及びシャワーノズルと、を備えたことを特徴とするミストサウナユニット。
【請求項２】
前記開閉扉の少なくとも一部に透光部を設けた請求項１記載のミストサウナユニット
【請求項３】
前記壁体の少なくとも一部に透光部を設けた請求項１または２記載のミストサウナユニット。
【請求項４】
前記開閉扉が、前記サウナ室内へ屏風状に折り曲げて開放可能である請求項１〜３のいずれかに記載のミストサウナユニット。
【発明の詳細な説明】
【技術分野】
【０００１】
本発明は、一般の戸建住宅、マンション、アパートあるいはサウナ施設などに設置して使用することのできるミストサウナユニットに関する。
【背景技術】
【０００２】
乾式サウナに入ると、発汗作用が促進され、体内の老廃物が汗とともに排出されるため新陳代謝が良くなり、疲れもとれ、交感神経が刺激されることにより、爽快な気分になるなどのメリットがある。そこで、一般家庭において使用することのできる乾式サウナが提案されている（例えば、特許文献１参照。）。
【０００３】
しかしながら、乾式サウナの温度は８０〜１００℃程度の高温であるため、室内に入ると、血圧や心拍数が急激に上昇し、身体は大きな負担を受ける。また、皮膚への熱刺激も強く、頭髪が乾燥して痛みやすい。さらに、乾式サウナの場合、ムッとした暑さや息苦しさを避けることができないなどの短所がある。
【０００４】
これに対し、ミストサウナは、お湯を細かい粒子にし、熱風とともに噴霧することにより、４０℃程度のミストで室内を満たし、その中で半身浴したり、浴槽に腰掛けたり、顔にミストを浴びたりするものである。乾式サウナのように高温にならず、ミストを浴びるため、皮膚や髪が乾燥しないという長所がある。このため、一般家庭において使用できるミストサウナ設備が提案されている（例えば、特許文献２，３参照。）。
【０００５】
【特許文献１】特開平６−２３３８０３号公報
【特許文献２】特開平１１−１１７５４９号公報
【特許文献３】特開２００６−６１４０２号公報
【発明の開示】
【発明が解決しようとする課題】
【０００６】
特許文献２記載の「浴室ユニット」は、浴槽、洗い場及びミストサウナ用ノズルを備えたものであるため、ミストサウナを利用する前後に、入浴したり、身体を洗ったりすることができるが、広い設置スペースが必要であり、日本の住宅事情に合致しない面がある。
【０００７】
一方、特許文献３に記載された、浴槽や洗い場などが省略された「静電霧化装置付きサウナ室」は比較的小型であるため、広い設置スペースを必要とせず、日本の住宅事情にも合致する。しかしながら、ミストサウナ使用後、身体から吹き出した汗などを流したい場合、このサウナ室とは別の設備に移動して、シャワーを浴びたり、入浴したりする必要があるため、使い勝手が悪い。
【０００８】
本発明が解決しようとする課題は、広い設置スペースを必要とせず、使い勝手にも優れたミストサウナユニットを提供することにある。
【課題を解決するための手段】
【０００９】
本発明のミストサウナユニットは、略直方体形状のサウナ室と、前記サウナ室を形成する壁体のいずれかに設けられた開閉扉付きの出入り口と、少なくとも一つの前記壁体の内面に外周縁の一部を当接させた状態で配置された腰掛け部と、前記壁体のいずれかに設けられたミストノズル及びシャワーノズルと、を備えたことを特徴とする。
【００１０】
このような構成とすれば、開閉扉付きの出入口を有する略直方体形状のサウナ室内に、腰掛け部、ミストノズル及びシャワーノズルという、必要且つ十分な部材のみを備えた簡素な構造となるため、比較的容易に小型化を図ることが可能となり、広い設置スペースを必要としない。また、ミストサウナ使用後、身体から吹き出した汗などは、他の場所へ移動することなく、当該サウナ室内のシャワーノズルを使用して流すことができるため、使い勝手も優れている。
【００１１】
ここで、前記開閉扉の少なくとも一部に透光部を設ければ、開閉扉の透光部を通して外部からサウナ室内の人の気配を感知することができるため、使用中であるか否かの判断が容易となり、利便性が向上する。また、サウナ室内に居るときの閉塞感を軽減することもできる。
【００１２】
また、前記壁体の少なくとも一部に透光部を設ければ、サウナ室内に居るときの開放感が高まるため、サウナ使用中、快適に過ごすことができる。なお、透光部を透明にすれば、サウナ室周辺の様子やサウナ室外の景色などが見えるため、開放感を更に高めることができる。
【００１３】
一方、前記開閉扉が、前記サウナ室内へ屏風状に折り曲げて開放可能な構成とすれば、開閉扉を開くとき、壁体から当該開閉扉が突出する部分が減少し、出入口付近の扉開放用スペースを減少することができるため、設置スペースの削減に有効である。
【発明の効果】
【００１４】
本発明により、広い設置スペースを必要とせず、使い勝手にも優れたミストサウナユニットを提供することができる。
【発明を実施するための最良の形態】
【００１５】
以下、図面に基づいて、本発明の実施の形態について説明する。図１は本発明の第１実施形態であるミストサウナユニットを示す一部省略斜視図、図２は図１に示すミストサウナユニットの平面図、図３は図１のＡ−Ａ線における断面図、図４は図１のＢ−Ｂ線における断面図、図５は図２のＣ−Ｃ線における断面図、図６は図２のＤ−Ｄ線における断面図、図７は図２のＥ−Ｅ線における断面図である。
【００１６】
図１〜図７に示すように、本実施形態のミストサウナユニット１０は、周囲から区画された略直方体形状のサウナ室ＳＲと、サウナ室ＳＲを形成する４つの壁体１１，１２，１３，１４のうちの正面側の壁体１１に開設された開閉扉１５付きの出入口１６と、壁体１１，１２，１３の内面に外周縁の一部を当接させた状態で配置された腰掛け部１７と、右側の壁体１４の内面に設けられた複数のミストノズル１８及びシャワーノズル１９と、を備えている。二つの壁体１３，１４に挟まれた角部分には複数のコーナ棚２９が上下に配置され、壁体１３の内面には鏡３０が設けられている。
【００１７】
複数のミストノズル１８は取付部材２８により垂直方向に直列配置され、外部に設けられたミスト発生装置（図示せず）から供給されるミストをサウナ室ＳＲ内へ吹き出す機能を有する。取付部材２８の下部近傍に、ミストの吹き出し、停止を行うためのスイッチ１８ａが設けられている。また、外部から供給される湯水を混合して吐出する湯水混合栓２７が壁体１４の内面に設けられ、湯水混合栓２７から延設されたホース１９ａの先端にシャワーノズル１９が接続されている。
【００１８】
湯水混合栓２７の片端部には温度調節ハンドル２７ａが設けられ、他端部には切替レバー２７ｂが設けられている。温度調節ハンドル２７ａを回転操作することにより、湯水混合栓２７またはシャワーノズル１９から吐出する湯水の温度を設定することができる。また、切替レバー２７ｂを操作することにより、湯水の吐出・停止と、湯水の吐出先の切替（湯水混合栓２７またはシャワーノズル１９の切替）と、を行うことができる。
【００１９】
ミストサウナユニット１０は、その底部２０に設けられた伸縮可能な複数の支持脚２１を介して設置面Ｇ上に載置され、底部２０の壁体１４寄りの部分には排水口２５及び排水器具２６が設けられている。排水器具２６には、排水設備に繋がる排水管（図示せず）などを接続することができる。天井部２２には、サウナ室ＳＲ内を照明するためのダウンライト２３と、サウナ室ＳＲ内を換気するための換気グリル２４と、が設けられている。
【００２０】
開閉扉１５を外側からサウナ室ＳＲ内に向かって押したり、開閉扉１５内面に設けられた取っ手１５ｂをサウナ室ＳＲ内側へ引いたりすると、開閉扉１５は蝶番部１５ｃを中心にしてサウナ室ＳＲ内へ屏風状に折り曲がり、出入口１６が開放され、逆の操作をすると出入口１６が閉止される。また、開閉扉１５には、半透明ガラスで形成された複数の透光部１５ａが設けられている。
【００２１】
図３，図４に示すように、腰掛け部１７の占有スペースは底部２０全体の面積の半分以下であり、腰掛け部１７の前縁部１７ａは滑らかな曲面で形成され、前縁部１７ａ全体が出入口１６より壁体１２寄りに位置している。また、腰掛け部１７の高さは一般成人男性の腰より低い位置に設定されているが、これに限定するものではない。
【００２２】
ミストサウナユニット１０を使用する場合、開閉扉１５を開放して出入口１６からサウナ室ＳＲ内へ入った後、開閉扉１５を閉じる。この後、必要であれば、シャワーノズル１９を使用してシャワーを浴びることができる。次に、壁体１４内面のスイッチ１８ａを操作すると、ミストノズル１８からサウナ室ＳＲ内へミストが吹き出すので、使用者は腰掛け部１７に腰を下ろしたり、任意の姿勢をとったりして、時間を過ごす。この後、所定時間が経過したら、スイッチ１８ａを操作して、ミストノズル１８からのミスト吹き出しを停止する。そして、シャワーノズル１９を使用してシャワーを浴びたり、湯水混合栓２７から吐出される湯水を用いて身体を洗ったりすれば、身体から吹き出した汗などを洗い落とすことができる。このとき、シャワーノズル１９や湯水混合栓２７などから吐出された湯水は、底部２０上面に開口する排水口２５に集まり、排水器具２６を通過して、所定の排水設備へ排出される。
【００２３】
ミストサウナユニット１０は、開閉扉１５付きの出入口１６を有する略直方体形状のサウナ室ＳＲ内に、腰掛け部１７、ミストノズル１８及びシャワーノズル１９という、必要且つ十分な部材のみを備えた簡素な構造であるため、比較的小型であり、広い設置スペースを必要としない。また、ミストサウナ使用後、身体から吹き出した汗などは、他の場所へ移動することなく、当該サウナ室ＳＲ内のシャワーノズル１９や湯水混合栓２７を使用して洗い流すことができるため、使い勝手も良好である。また、シャワーノズル１９から放出される湯水を利用してサウナ室ＳＲ内の清掃をすることもできるため、サウナ室ＳＲ内を清潔に保つことができる。
【００２４】
また、開閉扉１５には複数の透光部１５ａを設けているため、外部に居る人が透光部１５ａを通してサウナ室ＳＲ内の人の気配を感知することができる。このため、ミストサウナユニット１０が使用中であるか否かが簡単に分かり、利便性に優れている。また、透光部１５ａを設けたことにより、サウナ室ＳＲ内に居る人の閉塞感が軽減されるため、使用中は快適に過ごすことができる。
【００２５】
さらに、開閉扉１５はサウナ室ＳＲ内へ屏風状に折り曲げて開放する方式であるため、開閉扉１５を開くとき、当該開閉扉１５が壁体１１から外側へ突出する部分が少なく、出入口１６付近の扉開放用スペースを減少することができる。このため、ミストサウナユニット１０の設置スペースの削減に有効である。
【００２６】
ミストサウナユニット１０は、底部２０、腰掛け部１７などを含む部分が一体成形されるとともに複数の支持脚２１を有する下部ユニット１０ａの外周に設けられた周溝部１０ｂに４つの壁体１１，１２，１３，１４の下縁部１１ｂ，１２ｂ，１３ｂ，１４ｂを嵌め込んで起立状態に固定し、これらの壁体１１，１２，１３，１４の上縁部１１ａ，１２ａ，１３ａ，１４ａに天井部２２などを取り付けた構造であるため、組立は容易である。また、給湯水設備、排水設備及びミスト発生装置（図示せず）があれば比較的簡単に設置することができるため、戸建て住宅、マンションあるいはアパートなどに広く採用することができる。
【００２７】
次に、図８，図９に基づいて、本発明の第２実施形態について説明する。図８は本発明の第２実施形態であるミストサウナユニットを示す一部省略斜視図、図９は図８のＦ−Ｆ線における断面図である。なお、図８，図９に示すミストサウナユニットにおいて図１〜図７と同じ符号を付している部分は前述したミストサウナユニット１０の構成部分と同じ構造、機能を有する部分であり説明を省略する。
【００２８】
図８，９に示すように、本実施形態のミストサウナユニット５０においては、正面側の壁体５１の一部及び開閉扉５５の一部に透明ガラスを嵌め込むことにより、それぞれ透光部５１ａ，５５ａが設けられている。開閉扉５５のレバー５５ｂを操作してロックを解除すると、開閉扉５５は、蝶番部５５ｃを中心にして、サウナ室ＳＲ内側に向かって回動可能となる。
【００２９】
ミストサウナユニット５０においては、正面側の壁体５１及び開閉扉５５にそれぞれ透明な透光部５１ａ，５５ａが設けられているため、サウナ室ＳＲ内の開放感が良好であり、サウナ使用中、快適に過ごすことができる。また、サウナ室ＳＲ内から透光部５１ａ，５５ａを通して外部が見えるため、屋外の様子やテレビなどが見える場所に設置すれば、景色やＴＶ番組などを楽しみながらサウナを使用することもできる。その他の部分の構造、機能などについては前述したミストサウナユニット１０と同様である。
【産業上の利用可能性】
【００３０】
本発明のミストサウナユニットは、一般の戸建住宅、マンション、アパートあるいはサウナ施設などにおけるミストサウナ室として広く利用することができる。
【図面の簡単な説明】
【００３１】
【図１】本発明の第１実施形態であるミストサウナユニットを示す一部省略斜視図である。
【図２】図１に示すミストサウナユニットの平面図である。
【図３】図１のＡ−Ａ線における断面図である。
【図４】図１のＢ−Ｂ線における断面図である。
【図５】図２のＣ−Ｃ線における断面図である。
【図６】図２のＤ−Ｄ線における断面図である。
【図７】図２のＥ−Ｅ線における断面図である。
【図８】本発明の第２実施形態であるミストサウナユニットを示す一部省略斜視図である。
【図９】図８のＦ−Ｆ線における断面図である。
【符号の説明】
【００３２】
１０，５０  ミストサウナユニット
１０ａ  下部ユニット
１０ｂ  周溝部
１１，１２，１３，１４  壁体
１１ａ，１２ａ，１３ａ，１４ａ  上縁部
１１ｂ，１２ｂ，１３ｂ，１４ｂ  下縁部
１５，５５  開閉扉
１５ａ，５１ａ，５５ａ  透光部
１５ｂ  取っ手
１５ｃ  蝶番部
１６，５６  出入口
１７  腰掛け部
１７ａ  前縁部
１８  ミストノズル
１８ａ  スイッチ
１９  シャワーノズル
１９ａ  ホース
２０  底部
２１  支持脚
２２  天井部
２３  ダウンライト
２４  換気グリル
２５  排水口
２６  排水器具
２７  湯水混合栓
２７ａ  温度調節ハンドル
２７ｂ  切替レバー
２８  取付部材
Ｇ  設置面
ＳＲ  サウナ室
【図１】
2009172058.tif 000003
【図２】
2009172058.tif 000004
【図３】
2009172058.tif 000005
【図４】
2009172058.tif 000006
【図５】
2009172058.tif 000007
【図６】
2009172058.tif 000008
【図７】
2009172058.tif 000009
【図８】
2009172058.tif 000010
【図９】
2009172058.tif 000011